(57)【要約】【課題】子機から呼び出される携帯端末をＩＰ携帯電話とすることで、システムにおける配線の共通化、機器の小型化を図る。【解決手段】室内に設置されるナースコール子機２と、室毎に設置され子機から呼び出しがあったとき呼出表示灯３１が点滅／点灯する廊下灯３と、ナースステーション内に設置されるナースコール親機４と、廊下灯および親機を制御するための制御機５と、医療従事者が携帯し、通話を成立させるためのＬＡＮ用の通信プロトコルを使用してデジタルデータによって音声信号を送受するＩＰ携帯電話６と、通話を成立させるＩＰ携帯電話のアドレスを特定し、パケット交換によってデジタル音声信号を交換する交換機７と、ＬＡＮ配線Ｌ４によって交換機に接続され、ＩＰ携帯電話のデジタル音声データを無線で送受信するための無線ＬＡＮ機能を有する無線アクセスポイント８とを備えている。【選択図】図１
2007036977.tif 000002
【特許請求の範囲】
【請求項１】
室内に設置され病床の患者等の看護すべき者が看護師等の医療従事者を呼び出すための子機と、前記室毎に設置され前記看護すべき者により前記子機から呼び出しがあったとき呼出表示灯が点滅／点灯する廊下灯と、前記室と異なる施設内に設置され前記看護すべき者からの呼び出しを前記廊下灯を介して報知するとともに通話を成立させるための親機と、前記廊下灯および前記親機を制御するための制御機と、前記医療従事者がそれぞれ携帯し、前記看護すべき者からの呼び出しを報知すると共に通話を成立させるためのＬＡＮ用の通信プロトコルを使用してデジタルデータによって音声信号を送受するＩＰ携帯電話と、前記通話を成立させる前記ＩＰ携帯電話のアドレスを特定し、パケット交換によって前記デジタル音声信号を交換する交換機と、第１のＬＡＮ配線によって前記交換機に接続され、前記ＩＰ携帯電話のデジタル音声データを無線で送受信するための無線ＬＡＮ機能を有する無線アクセスポイントとを備えたことを特徴とするインターホンシステム。
【請求項２】
室内に設置され病床の患者等の看護すべき者が看護師等の医療従事者を呼び出すための子機と、前記室毎に設置され前記看護すべき者により前記子機から呼び出しがあったとき呼出表示灯が点滅／点灯する廊下灯と、前記室と異なる施設内に設置され前記看護すべき者からの呼び出しを前記廊下灯を介して報知するとともに通話を成立させるための親機と、前記医療従事者がそれぞれ携帯し、前記看護すべき者からの呼び出しを報知すると共に通話を成立させるためのＬＡＮ用の通信プロトコルを使用してデジタルデータによって音声信号を送受するＩＰ携帯電話と、前記廊下灯および前記親機を制御し、前記親機あるいは前記子機から前記ＩＰ携帯電話を宛先に含む呼出があった場合に前記通話を成立させる前記ＩＰ携帯電話のアドレスを特定し、前記ＩＰ携帯電話に呼出信号を送出するとともにパケット交換によって前記デジタル音声信号を交換するための制御機と、第１のＬＡＮ配線によって前記制御機に接続され、前記ＩＰ携帯電話のデジタル音声データを無線で送受信するための無線ＬＡＮ機能を有する無線アクセスポイントとを備えたことを特徴とするインターホンシステム。
【請求項３】
前記無線アクセスポイントは、前記看護すべき者のバイタルサインを測定する測定器、医師のパーソナルコンピューター、前記室を撮像するためのカメラ等の電子機器を前記第１のＬＡＮ配線に接続するためのハブを備えたことを特徴とする請求項１または請求項２記載のインターホンシステム。
【請求項４】
前記廊下灯は、前記第１のＬＡＮ配線に接続された前記無線アクセスポイントの代わりに、第２のＬＡＮ配線によって他の廊下灯あるいは前記制御機に接続するとともに前記無線アクセスポイントを内蔵したことを特徴とする請求項１乃至請求項３何れか１項記載のインターホンシステム。
【請求項５】
前記廊下灯は前記第２のＬＡＮ配線によって増設親機が接続されていることを特徴とする請求項４記載のインターホンシステム。
【請求項６】
前記廊下灯と前記制御機とを接続する前記第２のＬＡＮ配線には、前記廊下灯のデジタル通信信号と前記ＩＰ携帯電話の前記デジタル音声信号が重畳して伝送されていることを特徴とする請求項４または請求項５記載のインターホンシステム。
【請求項７】
前記親機は、表示部と、前記無線アクセスポイントを経由してアクセス可能な前記ＩＰ携帯電話の電話番号あるいは前記ＩＰ携帯電話を使用している前記医療従事者の氏名を前記表示部に表示する制御部とを備えたことを特徴とする請求項１乃至請求項６何れか１項記載のインターホンシステム。
【請求項８】
前記制御部は、前記無線アクセスポイントに接続されるＬＡＮ配線の回線使用率が予め定められた閾値を超えた場合に警報を前記表示部に表示する制御機能を有することを特徴とする請求項７記載のインターホンシステム。
【請求項９】
前記制御部は、前記無線アクセスポイントに予め定められた端末以外の端末が接続された場合に警報を前記表示部に表示する制御機能を有することを特徴とする請求項８記載のインターホンシステム。
【発明の詳細な説明】
【技術分野】
【０００１】
本発明は、子機、親機及び移動端末で相互に通信を行なうインターホンシステムに係り、特に子機から呼び出される移動端末をＩＰ携帯電話とすることで、配線の共通化、機器の小型化を図ることができるインターホンシステムに関する。
【背景技術】
【０００２】
従来から、この種のインターホンシステムとして、病院の室内に設けられ、識別番号が付与された複数の子機及び子機から呼び出しされ通話するための親機と、施設内で看護師が携帯し、映像を表示でき、子機から呼び出しされ通話するための携帯型親機と、子機とともに室内に設けられ、デジタルデータプロトコルによって撮像した映像信号を送信する複数のカメラと、親機、携帯型親機及びカメラに接続され、子機からの呼出信号を携帯型親機に伝送し、カメラから送信された映像信号をデジタルデータとして携帯型親機に伝送するＩＰ電話交換機とを備えたナースコールシステムが開示されている（例えば、特許文献１参照）。なお、子機を廊下灯を介して親機に接続する場合には、親機と廊下灯とを制御機を介して接続することが一般的である。
【０００３】
このようなナースコールシステムは、病床の患者がナースコールするために子機のナースコール用ボタンを押下すると、子機からの呼出信号を検出したＩＰ電話交換機の制御により看護師が携帯している携帯型親機で、患者からナースコールの要求がある旨の報知が行われるとともに、呼び出しのあった子機の近傍に設置されたカメラによって子機の周辺の撮像が開始される。
【０００４】
【特許文献１】特開２００５−７９８５７号公報（段落番号「００３９」、「００４０」、「００５２」）
【発明の開示】
【発明が解決しようとする課題】
【０００５】
しかしながら、背景技術に記載したナースコールシステムでは、医療施設に設置されることから携帯型親機には医用電気機器への電波干渉による障害の度合いが軽微であるＰＨＳ（Personal Handyphone System）が使用されるので、専用の通信配線で接続された基地局（アンテナ）と大型のＰＨＳ用交換機とが必要であった。また、各子機の近傍に設置されるカメラの配線についてもＬＡＮ配線であることから、ＰＨＳの通信配線や子機の通話線とは独立したＬＡＮ配線が必要となるので、病室近傍に向けて３系統の独立した配線を必要としていた。
【０００６】
また、廊下灯を介して子機が接続されている場合には、子機と制御装置を接続する廊下灯と、携帯型親機と交換機を接続する基地局（アンテナ）とは、いずれも病室の廊下にそれぞれ独立して設置されているため、廊下が雑然としていた。
【０００７】
本発明は、このような従来の難点を解決するためになされたもので、子機から呼び出される携帯端末をＩＰ携帯電話とすることで、システムにおける配線の共通化、機器の小型化を図ることができるインターホンシステムを提供することを目的とする。また、本発明は、交換機の機能を制御機にもたせることで、システムを簡素化させることができるインターホンシステムを提供することを目的とする。また、本発明は、ＩＰ携帯電話に関連する基地局（アンテナ）の機能を廊下灯にもたせることで、省線化とともに廊下に設置される機器数を減らすことができるインターホンシステムを提供することを目的とする。また、本発明は、システムを簡素化して安価なインターホンシステムを提供することを目的とする。
【課題を解決するための手段】
【０００８】
上述の目的を達成する本発明の第１の態様であるインターホンシステムは、室内に設置され病床の患者等の看護すべき者が看護師等の医療従事者を呼び出すための子機と、室毎に設置され看護すべき者により子機から呼び出しがあったとき呼出表示灯が点滅／点灯する廊下灯と、室と異なる施設内に設置され看護すべき者からの呼び出しを廊下灯を介して報知するとともに通話を成立させるための親機と、廊下灯および親機を制御するための制御機と、医療従事者がそれぞれ携帯し、看護すべき者からの呼び出しを報知すると共に通話を成立させるためのＬＡＮ用の通信プロトコルを使用してデジタルデータによって音声信号を送受するＩＰ携帯電話と、通話を成立させるＩＰ携帯電話のアドレスを特定し、パケット交換によってデジタル音声信号を交換する交換機と、第１のＬＡＮ配線によって交換機に接続され、ＩＰ携帯電話のデジタル音声データを無線で送受信するための無線ＬＡＮ機能を有する複数の無線アクセスポイントとを備えたものである。
【０００９】
このような第１の態様によるインターホンシステムによれば、ＩＰ携帯電話と無線で送受信するための無線ＬＡＮ機能を有する複数の無線アクセスポイントを備えたので、無線カメラ、患者のバイタルサインを測定する測定器などの無線ＬＡＮ機能を備えた機器と無線通信することができることから省線化を実現することができる。したがって、ＰＨＳに比べて低価格でシステムを構築することができるようになる。
【００１０】
上述の目的を達成する本発明の第２の態様であるインターホンシステムは、室内に設置され病床の患者等の看護すべき者が看護師等の医療従事者を呼び出すための子機と、室毎に設置され看護すべき者により子機から呼び出しがあったとき呼出表示灯が点滅／点灯する廊下灯と、室と異なる施設内に設置され看護すべき者からの呼び出しを廊下灯を介して報知するとともに通話を成立させるための親機と、医療従事者がそれぞれ携帯し、看護すべき者からの呼び出しを報知すると共に通話を成立させるためのＬＡＮ用の通信プロトコルを使用してデジタルデータによって音声信号を送受するＩＰ携帯電話と、廊下灯および親機を制御し、親機あるいは子機からＩＰ携帯電話を宛先に含む呼出があった場合に通話を成立させるＩＰ携帯電話のアドレスを特定し、ＩＰ携帯電話に呼出信号を送出するとともにパケット交換によってデジタル音声信号を交換するための制御機と、第１のＬＡＮ配線によって制御機に接続され、ＩＰ携帯電話のデジタル音声データを無線で送受信するための無線ＬＡＮ機能を有する複数の無線アクセスポイントとを備えたものである。
【００１１】
このような第２の態様によるインターホンシステムによれば、制御機が無線アクセスポイントを介してＩＰ携帯電話との回線交換を行なうことができるので、交換機が不要となる。したがって、安価なシステムを構築できる。
【００１２】
本発明の第３の態様は第１の態様又は第２の態様であるインターホンシステムにおいて、無線アクセスポイントは、看護すべき者のバイタルサインを測定する測定器、医師のパーソナルコンピューター、室を撮像するためのカメラ等の電子機器をＬＡＮ配線に接続するためのハブを備えたものである。このようなインターホンシステムによれば、無線アクセスポイントにハブ機能をもたせたので、無線ＬＡＮ機能を有しないカメラ等の有線ＬＡＮ接続機器も容易に接続することができる。したがって、無線アクセスポイントに接続可能な機器がさらに増えるとともに、無線アクセスポイント同士を容易に渡り配線とすることができ、配線の自由度が増す。
【００１３】
本発明の第４の態様は第１の態様乃至第３の態様であるインターホンシステムにおいて、廊下灯は、第１のＬＡＮ配線に接続された無線アクセスポイントの代わりに、第２のＬＡＮ配線によって他の廊下灯あるいは制御機に接続するとともに無線アクセスポイントを内蔵したものである。このようなインターホンシステムによれば、廊下灯と無線アクセスポイントを一体化することにより、廊下から単体の無線アクセスポイントをなくすことができる。したがって、廊下に単体の無線アクセスポイントが露出することがなくなるので、廊下の外観がすっきりする。
【００１４】
本発明の第５の態様は第４の態様であるインターホンシステムにおいて、廊下灯は第２のＬＡＮ配線によって増設親機が接続されているものである。このようなインターホンシステムによれば、従来必要であった増設親機幹線が不要となり、さらに省線化が可能となる。
【００１５】
本発明の第６の態様は第１の態様乃至第５の態様であるインターホンシステムにおいて、廊下灯と制御機とを接続する第２のＬＡＮ配線には、廊下灯のデジタル通信信号とＩＰ携帯電話のデジタル音声信号が重畳して伝送されているものである。このようなインターホンシステムによれば、廊下灯と制御機とを接続している第２のＬＡＮ配線に、廊下灯のデジタル通信信号とＩＰ携帯電話のデジタル音声信号を重畳して伝送することで、従来必要であった子機幹線が不要となり、さらに省線化が可能となる。
【００１６】
本発明の第７の態様は第１の態様乃至第６の態様であるインターホンシステムにおいて、親機は、表示部と、無線アクセスポイントを経由してアクセス可能なＩＰ携帯電話の電話番号あるいはＩＰ携帯電話を使用している医療従事者の氏名を表示部に表示する制御部とを備えたものである。このようなインターホンシステムによれば、親機はＩＰ携帯電話の動作状況、及び医療従事者のＩＰ携帯電話の携帯状況が把握できるため、ＩＰ携帯電話システムの動作状況と医療従事者の勤務状況が確認できる。
【００１７】
本発明の第８の態様は第７の態様であるインターホンシステムにおいて、制御部は、無線アクセスポイントに接続されるＬＡＮ配線の回線使用率が予め定められた閾値を超えた場合に警報を前記表示部に表示する制御機能を有するものである。このようなインターホンシステムによれば、親機は無線アクセスポイントに接続されるＬＡＮ配線の回線使用率を把握できるため、ＩＰ携帯電話システムの回線輻輳等、異常事態の発生を事前に把握することができる。
【００１８】
本発明の第９の態様は第８の態様であるインターホンシステムにおいて、制御部は、無線アクセスポイントに予め定められた端末以外の端末が接続された場合に警報を表示部に表示する制御機能を有するものである。このようなインターホンシステムによれば、親機はＩＰ携帯電話、無線カメラ、患者のバイタルサインを測定する測定器以外の機器が接続されたことを把握できるため、ＩＰ携帯電話システムに悪影響を与える虞のある機器を排除することができる。
【発明の効果】
【００１９】
本発明によれば、医療従事者が携帯する移動端末をＩＰ携帯電話にすることで、システムにおける配線の共通化、機器の小型化を図ることができるインターホンシステムを提供することができる。また本発明によれば、交換機の機能を制御機にもたせることで、システムを簡素化させることができるインターホンシステムを提供することができる。また本発明によれば、ＩＰ携帯電話に関連する基地局（アンテナ）の機能を廊下灯にもたせて廊下灯と制御機との間の通話データもＬＡＮ用の通信プロトコルによる伝送を行なうことができるので、更なる省線化とともに廊下に設置される機器数を減らすことができるインターホンシステムを提供することができる。さらに本発明によれば、システムを簡素化して安価なインターホンシステムを提供することができる。
【発明を実施するための最良の形態】
【００２０】
以下、本発明を実施するための最良の実施形態について、図面を参照して説明する。参照する図１は、本発明のインターホンシステムを示すシステム構成図である。
【００２１】
本発明の好ましい実施の形態例であるインターホンシステムは図１に示すように、例えば看護すべき者である患者を収容する病院に用いられるナースコールシステム１で、室内に設置され患者が看護師等の医療従事者を呼び出すための複数のナースコール子機２と、病室毎に設置、例えば、当該病室の出入口近傍である廊下先に設置されている複数の廊下灯３と、ナースステーション内に設置され患者からの呼び出しを廊下灯３を介して報知するとともに通話を成立させるためのナースコール親機４と、中継器としてナースステーション内、または病院内の共用部に設置されている制御機５と、医療従事者がそれぞれ携帯し、患者からの呼び出しを報知すると共に通話を成立させるためのＬＡＮ用の通信プロトコルを使用してデジタルデータによって音声信号を送受する複数のＩＰ携帯電話６と、通話を成立させるＩＰ携帯電話６のアドレスを特定し、パケット交換によってデジタル音声信号を交換する交換機７と、ＩＰ携帯電話６を無線制御する複数の無線アクセスポイント８とを備えている。なお、ＬＡＮ用の通信プロトコルとしては、イーサネット（Ethernet：登録商標）、トークンリング（Token Ring）などの物理的なプロトコルが該当する。
【００２２】
ナースコール子機２は、病床の患者が医療従事者である医師や看護師、例えば、ナースステーション内に在室中の看護師やＩＰ携帯電話６を携帯しながら病院内を巡回中の看護師のうち受け持ち（担当）の看護師に対して通常のナースコール呼び出し、緊急を要する緊急呼び出し、トイレ介助呼び出し等の呼出種別が異なる呼び出しを行い、通話を成立させるための音声を入出力するものである。
【００２３】
廊下灯３は、患者によりナースコール子機２から呼び出しがあったときに点滅／点灯する呼出表示灯３１を有している。この呼出表示灯３１はナースコール子機２からの呼出種別が異なる場合には、呼出種別毎に異なるパターンで点滅／点灯することができる。
【００２４】
ナースコール親機４は、ナースコール子機２からの呼び出しがあることを呼出種別毎異なるパターンの呼出音を出力するとともに呼出種別毎異なるパターンで表示することができ、この呼び出しを確認したナースステーション内に在室中の医療従事者が呼出元である病床の患者との間で通話を成立させることができる。また、ナースコール親機４は、表示部４１と制御部４２とを備えている。
【００２５】
制御部４２は、後述する無線アクセスポイント８を経由してアクセス可能なＩＰ携帯電話６の電話番号あるいはＩＰ携帯電話を使用している医療従事者の氏名を表示部４１に表示する第１の制御機能を有している。この第１の制御機能によりナースコール親機４はＩＰ携帯電話６の動作状況、及び医療従事者のＩＰ携帯電話６の携帯状況が把握できるため、ＩＰ携帯電話システムの動作状況と医療従事者の勤務状況が確認できる。また、制御部４２は、無線アクセスポイント８に接続されるＬＡＮ配線の回線使用率が予め定められた閾値を超えた場合に警報を表示部４２に表示する第２の制御機能を有している。この第２の制御機能によりナースコール親機４は無線アクセスポイント８に接続されるＬＡＮ配線の回線使用率を把握できるため、ＩＰ携帯電話システムの回線輻輳等、異常事態の発生を事前に把握することができる。また、制御部４２は、無線アクセスポイント８に予め定められた端末以外の端末が接続された場合に警報を表示部４２に表示する第３の制御機能を有している。この第３の制御機能によりナースコール親機４はＩＰ携帯電話、無線カメラ、患者のバイタルサインを測定する測定器以外の機器が接続されたことを把握できるため、ＩＰ携帯電話システムに悪影響を与えおそれのある機器を排除することができる。なお、これら制御機能は制御部４２にすべて有していなくてもよく、適宜選択できるものである。
【００２６】
制御機５は、廊下灯３、ナースコール親機４及び交換機７を制御するためのものであり、また、信号の種類によって部屋番号およびベッド番号に対応したＩＰ携帯電話番号を特定する機能を有している。
【００２７】
ＩＰ携帯電話６は、例えば病院内を巡回中の医療従事者により携帯されており、ナースコール子機２からの呼び出しがあることを呼出種別毎異なるパターンで表示、呼出音を出力するとともに、これを確認した医療従事者が呼出元である病床の患者との間で通話を成立させるための個別のＩＰ携帯電話番号を有している。
【００２８】
交換機７は、無線アクセスポイント８を回線制御する機能を有している。無線アクセスポイント８は、ＩＰ携帯電話６のデジタル音声データを無線で送受信するための無線ＬＡＮ機能を有している。
【００２９】
ナースコールシステム１は、このように複数のＩＰ携帯電話６と無線で送受信するための無線ＬＡＮ機能を有する複数の無線アクセスポイント８を備えたので、無線カメラ９や患者のバイタルサインを測定する測定器などの無線ＬＡＮ機能を備えた機器と無線通信することができることから省線化を実現することができる。ここで、無線ＬＡＮ機能を備えた機器とは、ＬＡＮ用の通信プロトコルによって信号を送信したり受信したりすることができる機器をいう。また、バイタルサインとは、脈拍、呼吸、血圧、体温の４つの生体情報を指す。
【００３０】
このようなナースコールシステム１は、複数のナースコール子機２が廊下灯３に接続され、この複数のナースコール子機２が接続されている廊下灯３は廊下灯接続ラインＬ１にバス接続されており、この廊下灯接続ラインＬ１は制御機５に接続されている。なお、図１においては、廊下灯３が１台だけが接続されているが、バス接続なので何台でも接続することができる。また、廊下灯３が廊下灯接続ラインＬ１にバス接続されている子機用伝送系統は２つ設けられているが、この伝送系統数に限られるものではなく、例えばフロア数に基づき決定される。ナースコール親機４は通話部ラインＬ２によって制御機５に接続され、制御機５は交換機接続ラインＬ３によって交換機７に接続されている。この交換機７には、ＬＡＮケーブルで構成されＬＡＮ用の通信プロトコルによるデジタルデータを伝送する第１のＬＡＮ配線である基地局接続ラインＬ４によって複数の無線アクセスポイント８がそれぞれ接続されている。
【００３１】
このように構成されたナースコールシステム１について、以下、具体的な動作について説明する。
【００３２】
病室内の病床の患者が、ナースステーション内に在室中の医療従事者やＩＰ携帯電話６を携帯しながら病院内を巡回中の医療従事者のうち、受け持ち（担当）の医療従事者を呼び出すためにナースコール子機２の呼出機能を能動にすると、呼出元のナースコール子機２に接続されている廊下灯３は、呼出信号Ｓ１を廊下灯接続ラインＬ１に送信する。この呼出信号Ｓ１は、廊下灯接続ラインＬ１を介して制御機５に伝送される。なお、廊下灯３では、廊下灯接続ラインＬ１への呼出信号Ｓ１の送信とともに呼出表示灯３１を点滅／点灯させることにより、病室の廊下先に居る医療従事者に対して呼出報知を行うことができる。
【００３３】
制御機５は、廊下灯３からの呼出信号Ｓ１を検出し、この部屋番号と上述の呼出信号Ｓ１に含まれている呼出種別、子機番号とを含む呼出信号Ｓ３を通話部ラインＬ２に送信する。この呼出信号Ｓ３は、通話部ラインＬ２を介してナースコール親機４へと伝送される。ナースコール親機４は、制御機５からの呼出信号Ｓ３に含まれている呼出種別、部屋番号、子機番号をそれぞれ検出し、呼出種別毎でパターンが異なる呼出音を出力する。また、ナースコール親機４は、制御機５からの呼出信号Ｓ３に含まれている呼出種別、部屋番号、子機番号に基づいて、当該病室内で呼出元のナースコール子機２が設置されている病床の患者からの呼び出しがあることを検出し、呼出種別毎異なるパターンで表示部４１に表示させる。
【００３４】
また、制御機５は、呼出種別、部屋番号、子機番号をそれぞれ検出し、部屋番号およびベッド番号に対応したＩＰ携帯電話番号を特定し、このＩＰ携帯電話番号と所定の呼出表示データとを含む端末呼出制御信号Ｓ２を交換機接続ラインＬ３に送信する。この端末呼出制御信号Ｓ２は、交換機接続ラインＬ３→交換機７→基地局接続ラインＬ４を介して無線アクセスポイント８に送信され、無線アクセスポイント８は端末呼出制御信号Ｓ２を無線ＬＡＮ信号Ｓ４に変換して複数のＩＰ携帯電話６に伝送する。複数のＩＰ携帯電話６は、制御機５からの端末呼出制御信号Ｓ２に含まれているＩＰ携帯電話番号、呼出表示データのうちＩＰ携帯電話番号と自端末が有する個別のＩＰ携帯電話番号とを照合し、一致した場合にのみ呼出表示データが有効であると判断して表示するとともに、呼出種別毎でパターンが異なる呼出音を出力させる。
【００３５】
ここで、当該病室内で呼出元のナースコール子機２が設置されている病床の患者からの呼び出しを確認したナースステーション内に在室中の医療従事者がナースコール親機４にて応答すると、当該ナースコール親機４の通話機能と呼出元のナースコール子機２が有する通話機能とは、通話部ラインＬ２、制御機５、廊下灯接続ラインＬ１及び廊下灯３を介して通話ラインが形成され、この通話ラインを介して音声信号を送受信させることにより、ナースステーション内に在室中の看護師と当該病室内で呼出元のナースコール子機４が設置されている病床の患者との間で通話が成立する。
【００３６】
一方、ＩＰ携帯電話６を携帯しながら病院内を巡回中の受け持ち（担当）の医療従事者が当該ＩＰ携帯電話６にて応答すると、ＩＰ携帯電話６が有する通話機能と呼出元のナースコール子機２が有する通話機能とは、無線アクセスポイント８、基地局接続ラインＬ４、交換機７、交換機接続ラインＬ３、制御機５、廊下灯接続ラインＬ１及び廊下灯３を介して通話ラインが形成され、この通話ラインを介して音声信号を送受信させることにより、ＩＰ携帯電話６を携帯しながら病院内を巡回中の受け持ち（担当）の医療従事者と当該病室内で呼出元のナースコール子機２が設置されている病床の患者との間で通話が成立する。
【００３７】
なお、ＩＰ携帯電話６は待受時においては、ナースコール親機４で特定のＩＰ携帯電話６の接続確認を行なうことができる。ＩＰ携帯電話６が個別の電話番号を有しているからである。ナースコール親機４でこの接続確認機能を能動とすると、ナースコール親機４から出力された接続確認信号Ｓ４が、通話部ラインＬ２→制御機５→交換機接続ラインＬ３→交換機７を介して無線アクセスポイント８に送信され、無線アクセスポイント８は接続確認信号Ｓ４を無線ＬＡＮ信号Ｓ４に変換して複数のＩＰ携帯電話６に伝送する。複数のＩＰ携帯電話６は、ナースコール親機４からの接続確認信号Ｓ４を受信すると応答信号Ｓ５を送信し、この応答信号Ｓ５は接続確認信号Ｓ４と逆の信号ルートでナースコール親機４に伝送される。ナースコール親機４は応答信号Ｓ５を受信すると、制御部４２の第１の制御機能により接続確認信号Ｓ４を受信したＩＰ携帯電話６の電話番号を表示部４１に表示するので、接続確認されたことを確認することができる。また、ナースコール親機４あるいは図示しないオーダリングシステムに、ＩＰ携帯電話６を携帯する看護師氏名が登録してあれば、ナースコール親機４は制御部４２の第１の制御機能により表示部４１にＩＰ携帯電話６の電話番号とともにＩＰ携帯電話６を携帯している医療従事者の氏名を表示させることができる。また、どの無線アクセスポイント８がＩＰ携帯電話６の信号を受信したかにより、ナースコール親機４の表示部４１にＩＰ携帯電話６を携帯している医療従事者の概略の位置情報を表示することもできる。
【００３８】
また、このナースコールシステム１では、無線ＬＡＮ機能を無線アクセスポイント８に備えたため、多くの医療機器を接続できてしまう。例えば、医師が患者に説明を行なうために、ノート型パーソナルコンピュータを無線アクセスポイント８に無線接続して動画を見せながら説明を行なう、等の使用方法も考えられる。しかしながら、このような使用を同時に複数の病室で行なわれると、回線使用率が上がり、ＩＰ携帯電話６の音声データやナースコールの信号伝送に支障が出るという問題点がある。このため、ナースコール親機４では制御部４２の第２の制御機能により例えば基地局接続ラインＬ４の回線使用率を常時監視し、回線使用率が一定の閾値を超えた場合に表示部４１にＬＡＮ回線輻輳の警告を表示し、これを見た医療従事者がナースコール親機４の放送機能を利用してＩＰ携帯電話へのナースコール以外での使用を抑制してもらうように病室にアナウンスすることにより、ＩＰ携帯電話へのナースコール用の各信号の伝送を安定化させることができる。なお、回線使用率の監視は、制御機５、無線アクセスポイント８など、システムの任意の位置で監視してもよい。また、警告の表示についても、ＩＰ携帯電話６に表示するようにしてもよい。
【００３９】
また、このナースコールシステム１では、無線ＬＡＮ機能を無線アクセスポイント８に備えたため、ナースコールシステムや医療機器に関係ない機器、例えば患者個人のノート型パーソナルコンピュータを無断で接続できてしまうという問題点がある。このため、ナースコール親機４の制御部４２の第３の制御機能を使用する。このナースコール親機４の制御部４２の記憶領域（図示せず）に接続可能な機器のＩＰアドレスを事前に登録しておき、ナースコール親機４では伝送データのＩＰアドレスを常時監視し、事前に登録されていないＩＰアドレスを発見した場合に表示部４１に異常接続の警告を表示し、これを見た医療従事者が当該機器を外すことにより、ナースコールの各信号の伝送を安定化させることができる。
【００４０】
また、このナースコールシステム１では、基地局接続ラインＬ４は複数のアクセスポイント８に接続されているのでＬＡＮ用の通信プロトコルにより伝送するが、交換機接続ラインＬ３は交換機７と制御機５とを接続しているだけなので、ＬＡＮ用の通信プロトコル、専用プロトコルのいずれでもよい。この場合、交換機接続ラインＬ３が専用プロトコルの場合には交換機７にプロトコル変換機能をもたせることになる。
【００４１】
なお、上述したナースコールシステム１では、無線アクセスポイント７と無線カメラ、患者のバイタルサインを測定する測定器などの無線ＬＡＮ機能を備えた機器とは無線で通信していた。しかしながら、カメラや測定器が無線ＬＡＮ機能を備えていない場合には、有線で通信しなければならないので、無線アクセスポイントにハブ機能をもたせるとよい。
【００４２】
図２は、ハブ機能を有する無線アクセスポイントを備えた本発明のナースコールシステム１０を示すシステム構成図である。
【００４３】
このナースコールシステム１０は図２に示すように、無線アクセスポイント８０は、看護すべき者のバイタルサインを測定する測定器、医師のパーソナルコンピューター、室を撮像するための有線カメラ９Ｂ等の電子機器をＬＡＮ配線Ｌ４に接続するためのハブ８１を備えたものである。このハブ８１は複数のＬＡＮケーブルを接続することができるようにポートが設けられている。このようなナースコールシステム１０によれば、無線アクセスポイント８０にハブ機能をもたせたので、無線ＬＡＮ機能を有しないカメラ等の有線ＬＡＮ接続機器も容易に接続することができる。
【００４４】
なお、このナースコールシステム１０は無線アクセスポイント８０以外は、上述したナースコールシステム１と同一構成なので同一要素には同一参照番号を付して、それらに関する構成、作用、動作の説明は省略する。
【００４５】
この無線アクセスポイント８０は任意の１台とナースコール親機４との間には、ＬＡＮ用の通信プロトコルによるデジタルデータを伝送する映像ラインＬ５が接続され、複数の無線アクセスポイント８０同士はハブ８１を介してアクセスポイントラインＬ６で直列接続されている。また、複数の無線アクセスポイント８０同士はハブ８１を介してアクセスポイントラインＬ６で直列接続されていることから、交換機７はすべての無線アクセスポイント８０と基地局接続ラインＬ４を介して接続する必要はなく、少なくとも１つ基地局接続ラインＬ４と接続するだけでよい。したがって、病室内、あるいは病室近傍には無線カメラ９Ａや有線カメラ９Ｂを設置することができ、無線カメラ９Ａは無線アクセスポイント８０の無線ＬＡＮ機能を使用して無線接続され、有線カメラ９Ｂは無線アクセスポイント８０のハブ８１にカメラ接続ラインＬ７に接続されている。この無線カメラ９Ａは無線ＬＡＮ機能を有し、有線カメラ９Ｂは有線ＬＡＮ機能を有している。
【００４６】
このようなナースコールシステム１０は、無線カメラ９Ａあるいは有線カメラ９Ｂをナースコール親機４、制御機５、廊下灯３、あるいは無線アクセスポイント８０の何れかの指示により能動とすると、無線カメラ９Ａあるいは有線カメラ９Ｂは呼び出しを行なった患者を撮像範囲に含む映像信号Ｓ６を出力する。撮像された映像信号Ｓ６は、無線アクセスポイント８０を経由して呼出元のナースコール子機２に呼び出され呼出音が鳴動しているＩＰ携帯電話６に伝送されるので、そのＩＰ携帯電話６の表示部（図示せず）には撮像された映像が表示される。また、撮像された映像信号Ｓ６は、無線アクセスポイント８０及び映像ラインＬ５を経由して、呼出元のナースコール子機２に呼び出され呼出音が鳴動しているナースコール親機４に伝送されるので、ナースコール親機４の表示部４１に撮像された映像が表示される。
【００４７】
なお、このナースコールシステム１０では、ＩＰ携帯電話６、ナースコール親機４の何れの表示部にも撮像された映像を表示していたが、映像を表示するのはいずれか一方でもよく、特にナースコール親機４に映像を表示しない場合には映像ラインＬ５が不要となる。また、このナースコールシステム１０では、撮像された映像を表示する機器はＩＰ携帯電話６、ナースコール親機４に限定しているが、実際にはＬＡＮ接続が可能で各カメラ９Ａ、９Ｂの映像を撮像できる機器なら、アクセスポイントラインＬ６や映像ラインＬ５をハブによって分岐させることで、どのような機器で映像を表示することも可能である。
【００４８】
また、無線アクセスポイント８０に接続するカメラ、患者のバイタルサインを測定する測定器などの機器がすべて有線接続するものであれば、アクセスポイントは有線接続専用のものでもよい。
【００４９】
なお、上述したナースコールシステム１、１０では、無線アクセスポイント８、８０が独立して設けられていたが、これに限らず、廊下灯３に内蔵してもよい。
【００５０】
図３は無線アクセスポイントが内蔵された廊下灯を備えた本発明のナースコールシステム１００を示すシステム構成図である。
【００５１】
このナースコールシステム１００は図３に示すように、廊下灯３０はナースコールシステム１、１０の廊下灯３及び無線アクセスポイント８、８０と同様の機能を有する無線アクセスポイントを内蔵している。したがって、廊下灯と無線アクセスポイントを一体化することができるので、廊下から無線アクセスポイントをなくすことができる。また、制御機５０は、廊下灯３０およびナースコール親機４を制御し、ナースコール親機４あるいはナースコール子機２からＩＰ携帯電話６を宛先に含む呼出があった場合に通話を成立させるＩＰ携帯電話のアドレスを特定し、ＩＰ携帯電話に呼出信号を送出するとともにパケット交換によってデジタル音声信号を交換する機能を有している。即ち、ナースコールシステム１、１０の交換機６の機能と制御機５の機能とを一体化したものである。したがって、制御機５０が無線アクセスポイントを介してＩＰ携帯電話との回線交換を行なうことができるので、交換機が不要となる。
【００５２】
なお、このナースコールシステム１００のナースコール親機４はＬＡＮ機能を有する以外は、上述したナースコールシステム１、１０と同一構成なので同一参照番号を付して構成の説明は省略する。
【００５３】
このようなナースコールシステム１００は廊下灯３０とナースコール親機４とはＬＡＮ用の通信プロトコルを使用してデジタルデータによって音声信号、データ信号を送受するものである。したがって、ナースコール親機４および制御機５０を接続する通話部ラインＬ２と、廊下灯３０および制御機５０とを接続する第２のＬＡＮ配線である廊下灯接続ラインＬ１とは、何れもＬＡＮケーブルで構成されている。したがって、ナースコールシステム１、１０で基地局接続ラインＬ４やアクセスポイントラインＬ６に伝送される信号は、すべて廊下灯接続ラインＬ１に伝送させることができる。即ち、廊下灯３０と制御機５０とを接続する第２のＬＡＮ配線である廊下灯接続ラインＬ１には、廊下灯３０のデジタル通信信号とＩＰ携帯電話６のデジタル音声信号が重畳して伝送されている。したがって、従来必要であった子機幹線が不要となり、さらに省線化が可能となる。
【００５４】
また、この第２のＬＡＮ配線である廊下灯接続ラインＬ１には、ＬＡＮ機能を有する増設親機１１が接続されているものである。このように第２のＬＡＮ配線である廊下灯接続ラインＬ１に増設親機１１を接続できるので、従来必要であった増設親機幹線が不要となり、さらに省線化が可能となる。
【００５５】
このようなナースコールシステム１００は、上述したナースコールシステム１、１０と作用、動作は同様なので説明を省略するが、ナースコール親機４、制御機５０、廊下灯３０及び増設親機１１がそれぞれＬＡＮケーブルによって接続されているので、各機器の信号の送受にはＬＡＮ用の通信プロトコルが採用されることになる。
【００５６】
なお、このナースコールシステム１００では廊下灯３０を接続する制御機５０には交換機の機能を有していたが、これに限らず、ナースコールシステム１、１０のように制御機と交換機とを個別に配置し、交換機に廊下灯３０を接続するようにしてもよい。
【００５７】
また、上述したナースコールシステム１、１０では、制御機５と交換機７とは別個に設けていたが、これに限らず、ナースコールシステム１００の制御機５０と同様に、廊下灯３およびナースコール親機４を制御し、ナースコール親機４あるいはナースコール子機２からＩＰ携帯電話６を宛先に含む呼出があった場合に通話を成立させるＩＰ携帯電話のアドレスを特定し、ＩＰ携帯電話に呼出信号を送出するとともにパケット交換によってデジタル音声信号を交換する機能を有するようにしてもよい。この場合、複数の無線アクセスポイント８は、それぞれ基地局接続ラインＬ４によってこの交換機の機能を有する制御機に接続する。
【００５８】
また、上述した本発明の実施の形態例においては、ＩＰ携帯電話に限定していたが、これに限らず、ＬＡＮ用の通信プロトコルを利用するＰＤＡ（Personal Digital Assistant）等の携帯情報端末ならばどのような携帯情報端末でもよい。ＰＤＡの場合、通話はできないが、呼び出しの通知、画像の表示が可能となる。
【００５９】
さらに、上述した本発明の実施の形態例においては、病院でナースコールシステムとして用いていたが、これに限らず、老人保険施設等の看護すべき者を収容すべき施設ならば、どのような施設でも適用させることができる。
【図面の簡単な説明】
【００６０】
【図１】本発明のインターホンシステムによる最良な実施の形態を示すシステム構成図である。
【図２】本発明のインターホンシステムによる最良な他の実施の形態を示すシステム構成図である。
【図３】本発明のインターホンシステムによる最良な他の実施の形態を示すシステム構成図である。
【符号の説明】
【００６１】
１、１０、１００……ナースコールシステム（インターホンシステム）
２……ナースコール子機
３……廊下灯
３１……呼出表示灯
４……ナースコール親機
４１……表示部
４２……制御部
５……制御機
６……ＩＰ携帯電話
７……交換機
８……無線アクセスポイント
８１……ハブ
１１……増設親機
３０……無線アクセスポイントの機能を有する廊下灯
５０……交換機の機能を有する制御機
【図１】
2007036977.tif 000003
【図２】
2007036977.tif 000004
【図３】
2007036977.tif 000005